(57)【要約】【課題】取外し式ハードディスク構造を提供する。【解決手段】  取外し式ハードディスクを適用する機器上に設置する受台３０に対して取り外し可能なハードディスク４０を収納して保護するケース体１０から構成する。ハードディスクは、ケース体に収納され、その接続端子４０１は接続端子台２０と接続されて一体となって保護され、受台には端子台６０が設けられた回路板が配置されていて、開口３５から挿入されたケース体は接続端子２０１を端子台の端子６０１と接続すると共にフック１２３を備えた可動板が該開口上縁に設けられた定位棒と係合して固定される。【選択図】  図  １
0003116848.tif 000002
【実用新案登録請求の範囲】
【請求項１】
取外し式ハードディスクを設置する機体上に配置される受台、ハードディスクを収容するケース体及び接続端子台からなり、
該ケース体上には収容したハードディスクの端子に対応する接続端子台を設け、
該受台上には該ケース体を載置する回路板を装置すると共に、該回路板上には該接続端子台の端子と結合可能な端子台を設けて、ハードディスクを収容したケース体を該受台上に取外し可能に収容するようにした、
ことを特徴とする取外し式ハードディスク構造。
【請求項２】
前記ケース体は底板、２枚の側板を具え、該側板上縁には押板を設けて、前記ハードディスクをこれらの間に収容することを特徴とする請求項１記載の取外し式ハードディスク構造。
【請求項３】
前記ケース体両側面に凸条を設けると共に、
前記受台の両側には該凸条と嵌合するガイド溝を設けたことを特徴とする請求項１記載の取外し式ハードディスク構造。
【請求項４】
前記ケース体、前記受台上にはそれぞれ相互に係合して定位可能な定位フック機構を設けたことを特徴とする請求項１記載の取外し式ハードディスク構造。
【請求項５】
前記定位フック機構は、ケース体上に設けられたフックを備えた弾性可動板と、受台のケース体を挿入する開口上に設けられて該フックと係合する定位棒からなることを特徴とする請求項４に記載の取外し式ハードディスク構造。
【考案の詳細な説明】
【技術分野】
【０００１】
本考案は、コンピュータなどの装備、アクセス可能なメディアプレーヤーなどの機体に用いるハードディスクに関する。特に、一種の抜き取り可能なハードディスクに係る。
【背景技術】
【０００２】
エレクトロニクスの進歩に従い、各種のコンピュータ(ノートPCを含む)、携帯電話、デジタルカメラ、メディアプレーヤー、電子電機制御設備などは我々の生活と周囲の環境に深く溶け込んでいる。
上記の各種電子、電機設備において、ハードディスクに出し入れする必要がある記憶情報はますます大量になって来ており、またこれらの情報はそれぞれ異なる機体中で運用することができるが、これら情報が別に保存、運用、或いは他の異なる地点で運用される場合に、いかにして迅速、安全に取り出し、また該ハードディスクを装備、保存するかは重要な課題である。
現在市販されている異なる機体に適用可能でデータのアクセスが可能なメモリカード(CFカード、SDカードなど)、或いはメモリ、或いはストレージデバイスの多くは小型の板状で、しかも該小型板状体の多くは簡単な平面式接触端子を設けたものである。これらの板状体をコンピュータ機体に接続する場合には、該板状体を通常は接続設備上に装置し、さらに該接続設備によりコンピュータ機体に接続する。
しかし通常、このように構成される記憶容量は大きくないため、コンピュータ応用のトレンドから言えば、将来必ず大量の記憶容量が必要となり、現在のメモリカードでは必ず不足となる。
一方、ハードディスクは非常に精密な構成体である。特に保存容量が大きくかつカード状ではないハードディスクでは、その構造体における磁気ヘッド及び磁場などは不適当な衝撃などの原因で簡単に損壊する。また、その接続端子の多くは少数の針状端子であるため、これら端子は接触或いは衝撃により損壊或いは変形し易い。すなわち、もしハードディスクを取り出し、移動或いは他の場所に置く、或いは別のところで使用する時には、該ハードディスク及びその端子などは適切に保護する必要があり、さもなくば携帯、或いは他の機体における運用などの目的を提供することができなくなってしまう。
記憶容量が大きな製品において、これらハードディスクを取り出すとするなら、多くは分解式で、また、機体上のネジなどの固定部品を取り外す必要がある。さらに、取外したハードディスクは再度機体上に適切に装備しなければ運用することはできないため、一般的にはバックアップ、保存機能だけを備え、他の機体における使用には適していない。
【特許文献１】特開２００３−８５４８７号公報
【考案の開示】
【考案が解決しようとする課題】
【０００３】
公知構造には以下の欠点があった。
すなわち現在市販されている異なる機体に適用可能でデータのアクセスが可能なメモリカード、或いはメモリ、或いはストレージデバイスの多くは小型の板状であるが、これらは記憶容量が小さいため、コンピュータ応用のトレンドから見れば、将来必ず容量が不足する。一方、保存容量が大きいハードディスクは非常に精密で不適当な衝撃などの原因で簡単に損壊し、また、その接続端子も接触或いは衝撃により損壊或いは変形し易いため、ハードディスクを取り出した後は該ハードディスク及びその端子などを適切に保護する必要がある。また、該ハードディスクは分解式で機体上のネジなどの固定部品を取り外す必要があり、さらに、取外したハードディスクは再度機体上に適切に装備しなければ運用することはできないため、一般的にはバックアップ、保存機能だけを備え、他の機体における使用には適していない。
本考案は上記構造の問題点を解決した取外し式ハードディスク構造及びその設置装置を提供するものである。
【課題を解決するための手段】
【０００４】
上記課題を解決するため、本考案は下記の取外し式ハードディスク構造及びその設置装置を提供する。
取り外しが容易で、精密度が高く、端子を保護可能で、ハードディスクを十分に保護可能な取外し式ハードディスク構造と、該ハードディスク構造を簡単に設置可能な受台を提供し、
すなわちそれは、ハードディスクをケース体により保護し、該ハードディスクの接続端子上には端子台を設置し、ハードディスクは安定的な状態で相互に対応する接続端子と結合し、
またそれはハードディスクを設置するケース体を提供し、該ケース体は凸条を具えるため、正確かつ安定的に機体の予定のルートにしたがって出入りし、
さらにそれは、ハードディスクの受台を提供し、該受台は機体上に設置し、該受台上には回路板を設置し、該回路板上には端子台を設置し、該受台とハードディスクを設置するケース体の対応によりケース体は該受台において取外し可能で、該端子台と取外し式ハードディスク前方に設置する接続端子台の結合或いは分離により、該取外し式ハードディスクを装置する機能を達成し、
加えてそれは、ハードディスクを設置可能なケース体と該ケース体を設置可能な受台を提供し、両者間は相互に対応する凸条及びガイド溝を具え、かつ相互間の定位部品を設置し、こうしてハードディスクは正確かつ安定的に予定の位置に定位されることを特徴とする取外し式ハードディスク構造及びその設置装置である。
【考案の効果】
【０００５】
上記のように、本考案によりハードディスクは完全にケース体内に保護され、該ハードディスクの接続端子(接続端子は図示の形態に制限されない)も接続端子台内に保護されるため、該ハードディスク(ケース体も一緒に)は十分に保護された状態で、取り出し保存することができ、さらに、他のそれと互換性のある受台を設置する機体において該ハードディスクを運用することができる。また、本考案が提供するケース体と対応する受台は、ケース体と受台間の相互対応により、その上に設置する回路は完全に接合される。
【考案を実施するための最良の形態】
【０００６】
図１に示すように、本考案はケース体１０、接続端子台２０、受台３０を含む。
該ケース体１０上にはハードディスク４０を装置し、該受台３０上には回路板５０を装置する。
該ケース体１０は、該ハードディスク４０を保護し、該受台３０と結合(或いは分離)可能な構成体である。該ケース体１０は、本体１１、制御部品１２を含む。該本体１１は、底板１１１、２枚の側板１１２、１１３を具える。該２枚の側板１１２、１１３上方には押板１１４、１１５を設け、該２枚の側板１１２、１１３上には凸条１１６、１１７を設ける。該制御部品１２上には弾性を具えた可動板１２１を設置し、該可動板１２１上には斜面１２２を具えた凸フック１２３を設置する。
該ハードディスク４０は、該本体１１内に装置し、該底板１１１、該２枚の側板１１２、１１３、及び該押板１１４、１１５により固定された状態で保護される。
該ハードディスク４０の前側には接続端子４０１を設置し、該接続端子４０１は一般に配列状の針状構造を呈する。該構造がもし露出していれば、容易に損傷するが、本考案では接続端子台２０を設置し、該接続端子４０１は挿入接続可能で、配列状の凹孔式接続端子２０１を具え外部に接続する。
【０００７】
上記の接続端子台２０は該ハードディスク４０の接続端子４０１を保護する機能の他に、その表面には針状の端子を具える。こうしてその本体もまた損傷しにくくなる。
該ケース体１０、該ハードディスク４０、該接続端子台２０は結合して一つの構成体となり、該構成体は該受台３０において挿入／取り外し可能である。該構成体中の該ハードディスク４０は、該ケース体１０および該接続端子台２０に適切に保護されるため、取り出した後の構成体は携帯可能な構造となる。
該受台３０は底板３１、２枚の側板３２、３３、定位棒３４を含む。該底板３１上方及び２枚の側板３２、３３間には回路板５０を設置し、該回路板５０は回路及び他の構成部品以外に端子台６０を設置する。該端子台６０上には該接続端子２０１と相互に対応する端子６０１を設置し、該端子６０１前方と該受台３０の入口３５間はケース体１０の収容空間となる。このため、該ケース体１０およびその前方の接続端子台２０は、該受台３０の入口３５より挿入する(或いは取り出す)時、障害がない。こうして該接続端子６０１は順調に該接続端子２０１内に接続される。
該２枚の側板３２、３３上に設置するガイド溝３２１、３３１は、該凸条１１６、１１７と相互に対応して嵌合し、位置決めする。
該ケース体１０は、該受台３０の入口３５より挿入する時、該凸条１１６、１１７はちょうどガイド溝３２１、３３１に嵌合され、該ケース体１０は順調、正確、安定して該受台３０内に収容され、該接続端子２０１は該接続端子６０１と正確に結合する。
該受台３０の入口３５上方には定位棒３４を設置する。該定位棒３４は該ケース体１０の制御部品１２と対応する。該制御部品１２は、該本体１１の外側に設け(或いは一体成型)られ、その中央には可動板１２１を設ける。該可動板１２１前側には斜面１２２を具えた凸フック１２３を設ける。
【０００８】
図２、３、４に示すように、該凸条１１６、１１７及び該ガイド溝３２１、３３１の対応により、該ケース体１０は一定の路線に沿って該受台３０内に入る。該ケース体１０が該受台３０の予定の位置に挿入されると、該可動板１２１の凸フック１２３はちょうど該定位棒３４の内側板に嵌合される。
図３に示すように、該可動板１２１は弾性を具えた板状体で、該可動板１２１に対して下向きの圧力を加える時、或いは該凸フック１２３前端の斜面１２２が該定位棒下方に入る時、該可動板１２１は下方へと運動し、該定位棒３４を通過する。つまり、該ケース体１０を該受台３０内に挿入する時、該可動板１２１の凸フック１２３は該斜面１２２が該定位棒３４下方に入り下向きに圧力を加えるため、該凸フック１２３が該定位棒３４を通過後、復元して定位状態を呈し、こうして該ケース体１０は定位される。
該ケース体１０を取り出す時には、該可動板１２１を下方に押圧して外側へ引く。こうして該凸フック１２３は下降して該定位棒３４下方より退出可能となり、該定位棒３４との係合から外れて該ケース体１０全体は引き出され、取り出された状態を形成する。
【０００９】
本考案の接続端子台２０は図示の形態に限るものではなく、その主要な目的は損傷を受け易いハードディスクの接続端子４０１と結合して保護することである。結合後の状態は損傷を受けにくい形態となり、該形態は該機体の端子６０１と相互に挿入可能であれば良い。
本考案の制御部品１２と定位棒３４の対応により該ケース体１０は安定的に該受台３０上に定位され、該ケース体１０を取り出す時、両者の対応により、該ケース体１０を迅速に取り出すことができる。該ケース体１０と該受台３０の結合と分離は類似の形態も本考案の範囲とする。
本考案の凸条１１６、１１７と該ガイド溝３２１、３３１の主な目的は、該ケース体１０を安定的に予定位置より予定の路線に沿って該受台３０内に進入させ、該ハードディスク４０前方に位置する接続端子２０１を安定的に該機体上の端子６０１と結合させることである。該ケース体１０が予定位置より予定の路線に沿って該受台３０内に進入し、両者間の回路が安定的に結合すれば、その類似の形態も本考案の範囲とする。
【図面の簡単な説明】
【００１０】
【図１】本考案の分解立体図である。
【図２】ケース体の部分断面図である。
【図３】ケース体を受台に挿入する状態の指示図一である。
【図４】ケース体を受台に挿入する状態の指示図二である。
【符号の説明】
【００１１】
１０  ケース体
１１  本体
１１１  底板
１１２  側板
１１３  側板
１１４  押板
１１５  押板
１１６  凸条
１１７  凸条
１２  制御部品
１２１  可動板
１２２  斜面
１２３  凸フック
２０  接続端子台
２０１  接続端子
３０  受台
３１  底板
３２  側板
３３  側板
３２１  ガイド溝
３３１  ガイド溝
３４  定位棒
３５  入口
４０  ハードディスク
４０１  接続端子
５０  回路板
６０  端子台
６０１  端子
【図１】
0003116848.tif 000003
【図２】
0003116848.tif 000004
【図３】
0003116848.tif 000005
【図４】
0003116848.tif 000006